(57)【要約】【課題】放送エリアにいるユーザに対し、適切な情報を迅速に提供する。【解決手段】一以上のスピーカー２０から音声を出力する放送装置１０であって、音声取得部１１３と、音声出力制御部１１５とを備える。音声取得部１１３は、第１音声信号に対応するコンテンツを識別する第１識別情報ＩＤ１と、放送エリアを識別する第２識別情報ＩＤ２とを第１音声信号に埋め込んだ第２音声信号を取得する。音声出力制御部１１５は、スピーカー２０から出力させる。【選択図】図２
2020068427.tif 000002
【特許請求の範囲】
【請求項１】
一以上のスピーカーから音声を出力する放送装置であって、
第１音声信号に対応するコンテンツを識別する第１識別情報と、前記第１識別情報とは異なる第２識別情報とを前記第１音声信号に埋め込んだ第２音声信号を取得する音声取得部と、
前記第２音声信号を、前記スピーカーから出力させる音声出力制御部と、
を備える、放送装置。
【請求項２】
前記第１音声信号には、前記第１識別情報が予め埋め込まれており、当該第１音声信号に前記第２識別情報を埋め込む処理を実行して前記第２音声信号を生成する一以上の音声透かし処理部、
を備える、請求項１に記載の放送装置。
【請求項３】
前記第２識別情報は、複数の放送エリアを識別する識別情報である、
請求項１又は２に記載の放送装置。
【請求項４】
請求項１から３に記載の放送装置と、
前記一以上のスピーカーと、
前記一以上のスピーカーから前記第２音声信号を収音する端末装置と、
前記端末装置と通信可能に接続される管理装置と、
を備える、
放送システム。
【請求項５】
前記端末装置は、
前記第２音声信号から前記第１識別情報と前記第２識別情報とを抽出し、
前記第１識別情報と前記第２識別情報との組み合わせによって異なる案内情報を出力可能である、
請求項４に記載の放送システム。
【請求項６】
前記管理装置は、
前記第１識別情報と前記第２識別情報との組み合わせに応じて決められた案内情報を記憶し、
前記案内情報を、前記端末装置からの要求に応じて前記端末装置に送信する、
請求項４又は５に記載の放送システム。
【請求項７】
第１音声信号に、前記第１音声信号に対応するコンテンツを識別する第１識別情報と、前記第１識別情報とは異なる第２識別情報とを埋め込んだ第２音声信号を収音し、
前記第２音声信号から前記第１識別情報と前記第２識別情報とを抽出し、
前記第１識別情報と前記第２識別情報との組み合わせによって異なる案内情報を出力する、
機能をコンピュータに実行させるためのプログラム。
【発明の詳細な説明】
【技術分野】
【０００１】
本発明は、放送装置、放送システム、及びコンピュータプログラムに関する。
【背景技術】
【０００２】
放送システムが使用される施設や交通機関においては、必要な情報を音声で放送したり、ＢＧＭ等を放送したりする。かかる放送システムの中には、音声透かし技術を用いて放送音に識別情報を埋め込んで放送し、ユーザの端末装置により収音した放送音から識別情報を取得し、識別情報に基づき関連情報を端末装置に提示するシステムが知られている（例えば、特許文献１、特許文献２、特許文献３参照）。
【先行技術文献】
【特許文献】
【０００３】
【特許文献１】特開２０１４−９２８８５号
【特許文献２】特開２０１７−１０７５３２号
【特許文献３】特開２０１６−１３６３６３号
【発明の概要】
【発明が解決しようとする課題】
【０００４】
従来の放送システムにおいては、端末装置に提供される関連情報（例えば、広告情報）は、放送音に埋め込まれた識別情報と一対一で対応する。しかし、識別情報が同じでも、提供される関連情報は、ユーザのいる場所に応じて異ならせる必要がある場合がある。例えば、特許文献３においては、各エリアに配されたスピーカーの識別情報に応じて提供する関連情報（広告情報等）を異ならせている。しかし、バスや電車等の乗り物内に設置された放送システムにおいては、乗り物の移動によって、移動先の場所と提供される関連情報との対応がとれなくなる可能性がある。
【０００５】
上述した観点に鑑み、本発明の目的は、放送エリアにいるユーザに対し、適切な情報を迅速に提供することができる放送装置、放送システム、及びコンピュータプログラムを提供することである。
【課題を解決するための手段】
【０００６】
上記課題を解決するため、本発明の一の観点によれば、放送装置は、一以上のスピーカーから音声を出力する放送装置であって、音声取得部と音声出力制御部とを備える。音声取得部は、第１音声信号に対応するコンテンツを識別する第１識別情報と、第１識別情報とは異なる第２識別情報とを第１音声信号に埋め込んだ第２音声信号を取得する。音声出力制御部は、第２音声信号を、スピーカーから出力させる。このため、放送装置は、コンテンツとその他の情報、例えば放送エリアを識別するための二つの異なる識別情報に応じた案内情報をユーザに提供可能になる。よって、放送エリアにおけるユーザの位置に変更があっても、当該エリアに則した情報をユーザに提供でき、同じ放送コンテンツであってもエリアに応じた情報をユーザに提供できる。
【０００７】
本発明の他の観点によれば、放送システムは、上記放送装置と、一以上のスピーカーと、一以上のスピーカーから第２音声信号を収音する端末装置と、端末装置と通信可能に接続される管理装置と、を備える。
【０００８】
本発明の他の観点によれば、コンピュータプログラムは、第１音声信号に、第１音声信号に対応するコンテンツを識別する第１識別情報と、第１識別情報とは異なる第２識別情報とを埋め込んだ第２音声信号を収音し、第２音声信号から第１識別情報と第２識別情報とを抽出し、第１識別情報と第２識別情報との組み合わせによって異なる案内情報を出力する。
【発明の効果】
【０００９】
本発明に係る放送装置、放送システム、及びコンピュータプログラムによれば、放送エリアにいるユーザに対し、適切な情報を迅速に提供することができる。
【図面の簡単な説明】
【００１０】
【図１】一実施形態に係る放送システムの全体構成を示す図。
【図２】一実施形態に係る放送装置の構成を示す図。
【図３Ａ】コンテンツとその識別情報の例を示す図。
【図３Ｂ】スピーカーの位置情報とその識別情報の例を示す図。
【図４】一実施形態に係る管理装置の構成を示す図。
【図５】案内情報の例を示す図。
【図６】一実施形態に係る端末装置の構成を示す図。
【図７】放送装置の動作を示すフローチャート。
【図８Ａ】音声透かし処理の説明図。
【図８Ｂ】音声透かし処理の説明図。
【図９】管理装置の動作を示すフローチャート。
【図１０】端末装置の動作を示すフローチャート。
【図１１】一実施形態に係る放送システムによる案内情報の出力例を示す図。
【図１２】同放送システムによる案内情報の他の出力例を示す図。
【図１３Ａ】他の実施形態に係るコンテンツとその識別情報の例を示す図。
【図１３Ｂ】他の実施形態に係る案内情報の例を示す図。
【図１４】他の実施形態に係る放送システムによる案内情報の出力例を示す図。
【発明を実施するための形態】
【００１１】
（実施の形態）
以下、本発明の一実施形態における放送システムの構成及びその機能について説明する。放送システムは、商業施設や公共施設、電車やバス等の乗り物内に適用される放送システムである。
【００１２】
（１−１．構成）
（１−１−１．放送システムの構成）
以下、放送システム１がバス会社の放送システムに適用される場合の例を説明する。
【００１３】
図１に示すように、放送システム１は、一例として、スピーカー２０が接続される放送装置１０と、主にバス乗客であるユーザが携帯し、各放送装置１０の音声信号を収音可能な端末装置５０と、端末装置５０とネットワークＮＷを介して通信可能な管理装置３０とを備える。ネットワークＮＷは、移動体通信網、施設内のＬＡＮ、インターネット等の通信網である。
【００１４】
図１において、放送装置１０Ａは、例えば、バスの車内エリアであるエリアＡ１内に設置され、スピーカー２０ａを介して所定の放送音を出力する。放送装置１０Ｂは、バス停エリアであるエリアＡ２に設置され、スピーカー２０ｂを介して所定の放送音を出力する。放送装置１０Ｃは、他のバス停エリアであるエリアＡ３に設置され、スピーカー２０ｃを介して所定の放送音を出力する。
【００１５】
なお、各放送装置１０は複数のチャンネルを備え、複数のスピーカー２０を接続してもよい。また、端末装置５０は一つのエリア内にいるユーザの人数に対応して一又は複数接続される。
【００１６】
（１−１−２．放送装置の構成）
図２は、放送装置１０の構成を概略的に示す。放送装置１０は、所定の音源データや入力された音声を各スピーカー２０に出力させる。放送装置１０は、プロセッサ１１、記憶部１３、Ｄ／Ａ変換部１５、アンプ１６、及び通信部１７を備える。
【００１７】
プロセッサ１１は、ＣＰＵ、ＤＳＰ等の信号処理回路である。プロセッサ１１は、ＲＯＭ（図示省略）や記憶部１３に記憶されたプログラムをＲＡＭ（図示省略）に読み出して実行することにより、放送装置１０の各部を制御する。プロセッサ１１は、プログラムに従って、例えば、音声透かし処理部１１１、音声取得部１１３、及び音声出力制御部１１５の機能を実行する。音声透かし処理部１１１は、後述するように、音源データから得た第１音声信号に各放送エリアを表す識別情報ＩＤ２（第２識別情報の一例）を埋め込む処理を実行する。第１音声信号には、予めコンテンツの識別情報ＩＤ１（第１識別情報の一例）が埋め込まれている。音声取得部１１３は、音声透かし処理部１１１の埋め込み処理により生成される第２音声信号を取得する。音声出力制御部１１５は、取得された第２音声信号を、対応するスピーカー２０から出力させる。
【００１８】
記憶部１３は、半導体メモリや磁気ディスク等により構成され、音源データ記憶部１３１と、放送エリア情報記憶部１３３と、を含む。音源データ記憶部１３１は、予め決められた放送内容に相当する音源データとその識別情報ＩＤ１とを記憶する。音源データは、例えば、図３Ａに示すように、バス車内のエリアＡ１やバス停のエリアＡ２で放送されるコンテンツに相当する。放送エリア情報記憶部１３３は、図３Ｂに示すように、各放送エリアの識別情報ＩＤ２とスピーカー２０が設置されている位置情報とを対応させて記憶する。
【００１９】
Ｄ／Ａ変換部１５は、取得された第２音声信号をアナログ音声信号に変換する。アンプ１６は、アナログ音声信号を増幅して、スピーカー２０より出力する。
【００２０】
通信部１７は、ネットワークＮＷに接続するためのインターフェースであり、例えばネットワークカード等である。通信部１７は、ＬＡＮ等の施設内のネットワークを介してインターネットに接続される。
【００２１】
なお、放送装置１０は、単体のコンピュータ装置に限定されず、複数のコンピュータ装置を含んでいてもよい。
【００２２】
（１−１−３．管理装置の構成）
図４は、管理装置３０の構成を概略的に示す。管理装置３０は、サーバとして機能するコンピュータ装置であり、端末装置５０からの要求に応じて、案内情報を端末装置５０に送信する。管理装置３０は、プロセッサ３１、記憶部３３、及び通信部３７を備える。
【００２３】
プロセッサ３１は、ＣＰＵ、ＤＳＰ等の信号処理回路である。プロセッサ３１は、ＲＯＭ（図示省略）や記憶部３３に記憶されたプログラムをＲＡＭ（図示省略）に読み出して実行することにより、管理装置３０の各部を制御する。プロセッサ３１は、例えば、プログラムに従って、案内情報判定部３１１の機能を実行する。案内情報判定部３１１は、後述するように、案内情報テーブル３３１を参照して、端末装置５０からの要求に応じた案内情報を判定する。
【００２４】
記憶部３３は、半導体メモリや磁気ディスク等により構成され、案内情報テーブル３３１を記憶する。案内情報テーブル３３１は、図５に示すように、音源データの識別情報ＩＤ１と放送エリアの識別情報ＩＤ２との組み合わせに対応した案内情報データを格納する。案内情報判定部３１１は、端末装置５０からの要求によって特定される識別情報ＩＤ１、ＩＤ２に応じて案内情報テーブル３３１から所定の案内情報を取得する。
【００２５】
通信部３７は、ネットワークＮＷに接続するためのインターフェースであり、例えばネットワークカード等である。通信部３７は、ＬＡＮ等、管理装置３０が設置される構内ネットワークを介してインターネットに接続される。
【００２６】
（１−１−４．端末装置の構成）
図６は、端末装置５０の構成を概略的に示す。端末装置５０は、例えばスマートフォンやその他の携帯端末であり、バスの乗客であるユーザによって携帯されたり使用されたりするコンピュータ装置である。端末装置５０は、プロセッサ５１、記憶部５３、音声入力部５５、表示部５６、通信部５７、入力操作部５８、音声出力部５９を備える。
【００２７】
プロセッサ５１は、ＣＰＵ、ＤＳＰ等の信号処理回路である。プロセッサ５１は、ＲＯＭ（図示省略）や記憶部５３に記憶されたアプリケーションプログラムをＲＡＭ（図示省略）に読み出して実行することにより、端末装置５０の各部を制御する。プロセッサ５１は、例えば、プログラムに従って、識別情報抽出部５１１と、案内情報要求生成部５１３と、案内情報取得部５１５の機能を実行する。識別情報抽出部５１１は、後述するように、スピーカー２０から取得した音声信号に含まれる識別情報ＩＤ１、ＩＤ２を抽出する。案内情報要求生成部５１３は、抽出した識別情報ＩＤ１，ＩＤ２を特定する情報を含む要求を生成し、通信部５７を介して管理装置３０に送信する。
【００２８】
記憶部５３は、半導体メモリ等により構成され、識別情報記憶部５３１、案内情報記憶部５３３、アプリ記憶部５３５を含む。識別情報記憶部５３１は、識別情報抽出部５１１により抽出した識別情報ＩＤ１，ＩＤ２を記憶する。案内情報記憶部５３３は、要求に応じて管理装置３０から受信した案内情報を記憶する。アプリ記憶部５３５は、上記識別情報抽出部５１１と、案内情報要求生成部５１３と、案内情報取得部５１５の機能を実行するプログラムを格納する。
【００２９】
音声入力部５５は、マイク等であり、スピーカー２０からの音声を収音する。表示部５６は、プロセッサ５１で取得又は生成された情報を表示するＬＣＤや有機ＥＬディスプレイ等の表示画面を含む。例えば、表示部５６は、管理装置３０から取得した図５に示す案内情報を表示する。
【００３０】
通信部５７は、ネットワークＮＷに接続するためのインターフェースであり、例えば無線通信用のアンテナである。通信部５７は、ネットワークＮＷを介して管理装置３０に接続される。
【００３１】
入力操作部５８は、ユーザからの指示入力を受け付ける手段であって、例えば、キーボード、マウス、スイッチ、表示画面上のタッチパネル等である。音声出力部５９は、スピーカー等であり、例えば図５に示す案内情報を音声で出力する。
【００３２】
（１−２．動作）
（１−２−１．放送装置の動作）
図７及び図８を参照しながら、放送装置１０の動作について説明する。音声取得部１１３は、音源データ記憶部１３１より第１音声信号に対応する音源データを取得する（Ｓ１１１）。第１音声信号には、予め識別情報ＩＤ１が埋め込まれている。音声透かし処理部１１１は、第１音声信号に、識別情報ＩＤ２を埋め込み、第２音声信号を生成する（Ｓ１１２）。
【００３３】
音声透かし処理部１１１は、例えば公知のエコー拡散法を用いて第１音声信号に、識別情報ＩＤ２を埋め込む。エコー拡散法は、元の音声信号に対し、人間が感知できない程度の遅延時間のエコーをかけ、遅延時間を付加データとして送る手法である。エコー拡散法で、図８Ａに示すように、２つの異なる遅延量でエコーカーネルを重畳することで、各遅延量を例えば“０”か“１”として、畳み込み演算により第１音声信号Ｓ１に埋め込む。なお、第１音声信号Ｓ１に予め識別情報ＩＤ１が埋め込まれ、さらに識別情報ＩＤ２を埋め込む場合、図８Ｂに示すように、識別情報ＩＤ１とＩＤ２を重畳するフレームを分けておく。これにより、第１音声信号Ｓ１に識別情報ＩＤ１とＩＤ２が重畳され、第２音声信号Ｓ２が生成される。
【００３４】
音声取得部１１３は、生成された第２音声信号を取得し、音声出力制御部１１５は、スピーカー２０（埋め込んだ識別情報ＩＤ２に対応するスピーカー）に対し、生成された第２音声信号を出力する（Ｓ１１３）。なお、第１音声信号に対して第２音声信号は、人間の聴覚レベルでは、違いがわかりにくい音声として聞き取られる。
【００３５】
（１−２−２．管理装置の動作）
図９を参照しながら、管理装置３０の動作について説明する。管理装置３０は、端末装置５０より要求を受信した場合（Ｓ１２１のＹｅｓ）、案内情報判定部３１１により案内情報テーブル３３１を参照する（Ｓ１２２）。要求には、端末装置５０が抽出した識別情報ＩＤ１，ＩＤ２を特定する情報が含まれる。案内情報判定部３１１は、要求に含まれる識別情報ＩＤ１，ＩＤ２の組み合わせに対応する案内情報を取得する（Ｓ１２３）。管理装置３０は、通信部３７を介して端末装置５０に取得した案内情報を送信する（Ｓ１２４）。
【００３６】
なお、管理装置３０は、端末装置５０から要求を受信したとき、予め登録されたユーザ情報に応じて、端末装置５０の認証処理を行ってもよい。
【００３７】
（１−２−３．端末装置の動作）
図１０を参照しながら、端末装置５０の動作について説明する。端末装置５０は、スピーカー２０から音声信号（第２音声信号）を収音した場合（Ｓ１３１のＹｅｓ）、当該音声信号から識別情報ＩＤ１，ＩＤ２の抽出処理を行う（Ｓ１３２）。この抽出処理は、公知のエコー拡散法の抽出によって行われる。
【００３８】
具体的には、識別情報抽出部５１１は、スピーカー２０から取得した第２音声信号を取得し、窓関数をかけて、ＦＦＴ（高速フーリエ変換）後に対数をとり、さらに逆ＦＦＴの演算を実行して、いわゆるケプストラムを求める。このケプストラムとエコー成分の相互相関を窓長毎に計算することにより、埋め込んだ音声透かし情報である識別情報ＩＤ１，ＩＤ２が再現され、抽出される。
【００３９】
識別情報抽出部５１１が、識別情報ＩＤ１，ＩＤ２を抽出できた場合（Ｓ１３３のＹｅｓ）、案内情報要求生成部５１３により要求を生成し、通信部５７を介して管理装置３０に送信する（Ｓ１３４）。要求には、識別情報ＩＤ１，ＩＤ２を特定する情報が含まれる。識別情報抽出部５１１が、識別情報ＩＤ１，ＩＤ２を抽出できなかった場合（Ｓ１３３のＮｏ）、処理を終了する。つまり、案内情報は出力されない。管理装置３０から案内情報を受信した場合（Ｓ１３５のＹｅｓ）、案内情報取得部５１５により案内情報を取得し、表示部５６により表示する（Ｓ１３６）。
【００４０】
なお、案内情報は、音声出力部５９から音声として出力されてもよい。
【００４１】
（１−２−４．放送システムによる出力例）
図１１は、バスの車内を示すエリアＡ１における案内情報の出力例を示す。
【００４２】
図１１に示すエリアＡ１において、例えば、バスの発車後、「ご乗車ありがとうございます。このバスは、〇〇駅行きバスです。運賃は、バスを降りる際、運賃箱でご精算頂きますようお願い致します。」（図３ＡのＩＤ１“００１”）がスピーカー２０ａ（図３ＢのＩＤ２“１００１”）から放送されるとする。この場合、放送装置１０Ａ（図１）はまず、コンテンツの識別情報ＩＤ１“００１”が予め埋め込まれた第１音声信号に対し、上述した音声透かし処理により、識別情報ＩＤ２“１００１”を埋め込み、第２音声信号を生成する。第２音声信号は、スピーカー２０ａから出力される。エリアＡ１内の端末装置５０ａは、第２音声信号を収音し、上述したように第２音声信号から識別情報ＩＤ１，ＩＤ２の抽出処理を行う。端末装置５０ａは、抽出された識別情報ＩＤ１，ＩＤ２に基づき要求を生成し、管理装置３０にネットワークＮＷを介して送信する。管理装置３０は、端末装置５０ａからの要求に対し、図５に示す案内情報テーブルを参照し、識別情報ＩＤ１“００１”、ＩＤ２“１００１”の組み合わせに対応する案内情報を判定し、端末装置５０ａに送信する。バス車内のエリアＡ１内の端末装置５０ａは、管理装置３０から受信した案内情報「大阪名物と言えば、たこ焼き♪こちらのページから購入できます。画像情報：https://www.@@@@@.jp/たこ焼き」を表示部５６に表示する。
【００４３】
次に、図１１の下段に示すように、バスが移動して所定のバス停に近づいたとき、「次は、□□です。お降りの方は降車ボタンを押してください。」（図３ＡのＩＤ１“００２”）がスピーカー２０ａ（図３ＢのＩＤ２“１００１”）から放送される。放送装置１０Ａは、コンテンツの識別情報ＩＤ１“００２”が予め埋め込まれた第１音声信号に対し、上述した音声透かし処理により、識別情報ＩＤ２“１００１”を埋め込む。第２音声信号は、スピーカー２０ａから出力される。エリアＡ１内の端末装置５０ａは、第２音声信号を収音し、上述したように第２音声信号から識別情報ＩＤ１，ＩＤ２の抽出処理を行う。端末装置５０ａは、抽出された識別情報ＩＤ１，ＩＤ２に基づき要求を生成し、管理装置３０にネットワークＮＷを介して送信する。管理装置３０は、端末装置５０からの要求に対し、図５に示す案内情報テーブルを参照し、識別情報ＩＤ１“００２”、ＩＤ２“１００１”の組み合わせに対応する案内情報を判定し、端末装置５０ａに送信する。バス車内のエリアＡ１内の端末装置５０ａは、管理装置３０から受信した案内情報「次のバス停の近くに「デカタコ」店舗がございます。地図情報：https://www.map.jp/地図11」を表示部５６に表示する。
【００４４】
以上のように、バスの移動によりユーザが存在するエリアＡ１の位置が変わってコンテンツを変更することに合わせて、当該エリアに則した案内情報をユーザに提供することができる。
【００４５】
図１２は、異なる位置にあるバス停のエリアＡ２、Ａ３における案内情報の出力例を示す。
【００４６】
図１２に示すエリアＡ２のバス停において、例えば、「間もなくバスが到着します。」（図３ＡのＩＤ１“００３”）がスピーカー２０ｂ（図３ＢのＩＤ２“１００２”）から放送されるとする。この場合、放送装置１０Ｂ（図１）はまず、コンテンツの識別情報ＩＤ１“００３”が予め埋め込まれた第１音声信号に対し、上述した音声透かし処理により、識別情報ＩＤ２“１００２”を埋め込む。第２音声信号は、スピーカー２０ｂから出力される。エリアＡ２のバス停にいるユーザの端末装置５０ｂは、第２音声信号を収音し、上述したように第２音声信号から識別情報ＩＤ１，ＩＤ２の抽出処理を行う。端末装置５０ｂは、抽出された識別情報ＩＤ１，ＩＤ２に基づき要求を生成し、管理装置３０にネットワークＮＷを介して送信する。管理装置３０は、端末装置５０ｂからの要求に対し、図５に示す案内情報テーブルを参照し、識別情報ＩＤ１“００３”、ＩＤ２“１００２”の組み合わせに対応する案内情報を判定し、端末装置５０ｂに送信する。エリアＡ２のバス停の端末装置５０ｂは、管理装置３０から受信した案内情報「間もなく到着のバスは、〇〇駅行きバスです。バスが混雑している場合、次のバスは５分後に到着予定ですので、次のバスをお待ち頂きますようお願いいたします。」を表示部５６に表示する。
【００４７】
一方、図１２に示すエリアＡ３のバス停においては、エリアＡ２と同じく「間もなくバスが到着します。」（図３ＡのＩＤ１“００３”）がスピーカー２０ｃ（図３ＢのＩＤ２“１００３”）から放送されるとする。この場合、放送装置１０Ｃ（図１）はまず、コンテンツの識別情報ＩＤ１“００３”が予め埋め込まれた第１音声信号に対し、音声透かし処理により、識別情報ＩＤ２“１００３”を埋め込む。第２音声信号は、スピーカー２０ｃから出力される。エリアＡ３のバス停にいるユーザの端末装置５０ｃは、第２音声信号を収音し、上述したように第２音声信号から識別情報ＩＤ１，ＩＤ２の抽出処理を行う。端末装置５０ｃは、抽出された識別情報ＩＤ１，ＩＤ２に基づき管理装置３０に要求を生成し、ネットワークＮＷを介して送信する。管理装置３０は、端末装置５０ｃからの要求に対し、図５に示す案内情報テーブルを参照し、識別情報ＩＤ１“００３”、ＩＤ２“１００３”の組み合わせに対応する案内情報を判定し、端末装置５０ｃに送信する。エリアＡ３のバス停の端末装置５０ｃは、管理装置３０から受信した案内情報「間もなく到着のバスは、当バス停止まりです。到着後、車庫に行きますので、乗車はお控え下さい。」を表示部５６に表示する。
【００４８】
以上のように、放送する内容（コンテンツ）が同じであっても、ユーザが存在するエリアが異なれば、当該エリアに則した情報をユーザに提供することができる。
【００４９】
（１−３．特徴等）
上記実施形態に係る放送装置１０又は放送システム１は、音源データに対応するコンテンツを識別する識別情報ＩＤ１を予め埋め込んだ第１音声信号に、放送エリアを識別する識別情報ＩＤ２を埋め込んで、第２音声信号を生成し、スピーカー２０から出力させる。このため、二つの異なる識別情報に応じた案内情報をユーザに提供可能になる。よって、乗り物の移動等によりユーザがいるエリアの位置に変更があってコンテンツを変更することに合わせて、当該エリアに則した情報をユーザに提供できる。また、同じコンテンツであっても、異なるエリアであれば、異なる案内情報をユーザに提供できる。よって、放送エリアにいるユーザに対し、適切な情報を迅速に提供することができる。
【００５０】
（その他実施形態）
図１に示す放送システム１は、例えば、避難誘導システムに適用できる。例えば、図１のＡ１〜Ａ３が異なる地域（例えば、西側地域と東側地域と海岸沿い地域）を示すエリアとして、避難誘導システムに適用される放送システム１について図１３及び図１４を参照しながら説明する。
【００５１】
図１３Ａは、放送内容とその識別情報の例を示す図である。
【００５２】
図１３Ｂは、識別情報と対応付けられて管理されている案内情報を示す図である。
【００５３】
図１４は、避難誘導を行う放送システムによる放送と、各放送エリアで表示される識別情報に基づく案内情報の出力例を示す図である。
【００５４】
図１４に示すエリアＡ１では、スピーカー２０ａから「津波が来ます。」という放送がされている。図１に示す放送装置１０Ａはまず、コンテンツの識別情報ＩＤ１“００１”が予め埋め込まれた第１音声信号に対し、上述した音声透かし処理により、識別情報ＩＤ２“１００１”を埋め込み、第２音声信号を生成する。第２音声信号は、スピーカー２０ａから音声として放音される。エリアＡ１内の端末装置５０ａは、スピーカー２０ａから放音された音声である第２音声信号を収音し、上述したように第２音声信号から識別情報ＩＤ１，ＩＤ２の抽出処理を行う。端末装置５０ａは、抽出された識別情報ＩＤ１，ＩＤ２に基づき要求を生成し、管理装置３０にネットワークＮＷを介して送信する。管理装置３０は、端末装置５０からの要求に対し、図１３Ｂに示す案内情報テーブルを参照し、識別情報ＩＤ１“００１”、ＩＤ２“１００１”の組み合わせに対応する案内情報を判定し、端末装置５０ａに送信する。エリアＡ１内の端末装置５０ａは、管理装置３０から受信した案内情報「津波が来ます。西山の避難所に逃げてください。画像情報：https://www.aaaaa.jp/西地域」を表示部５６に表示する。
【００５５】
一方、図１４に示すエリアＡ２では、エリアＡ１の放送内容と同じである「津波が来ます。」という放送が、スピーカー２０ｂから放送される。放送装置１０Ｂ（図１）はまず、コンテンツの識別情報ＩＤ１“００１”が予め埋め込まれた第１音声信号に対し、上述した音声透かし処理により、識別情報ＩＤ２“１００２”を埋め込む。第２音声信号は、スピーカー２０ｂから音声として放送される。エリアＡ２内の端末装置５０ｂは、スピーカー２０ｂから放音された音声である第２音声信号を収音し、上述したように第２音声信号から識別情報ＩＤ１，ＩＤ２の抽出処理を行う。端末装置５０ｂは、抽出された識別情報ＩＤ１，ＩＤ２に基づき要求を生成し、管理装置３０にネットワークＮＷを介して送信する。管理装置３０は、端末装置５０からの要求に対し、図１３Ｂに示す案内情報テーブルを参照し、識別情報ＩＤ１“００１”、ＩＤ２“１００２”の組み合わせに対応する案内情報を判定し、端末装置５０ｂに送信する。エリアＡ２内の端末装置５０ｂは、管理装置３０から受信した案内情報「津波が来ます。東山の避難所に逃げてください。画像情報：https://www.bbbbb.jp/東地域」を表示部５６に表示する。
【００５６】
図１４に示すエリアＡ３では、エリアＡ１の放送内容と同じである「津波が来ます。」という放送が、スピーカー２０ｃ（図３Ｂの“１００３”）から放送される。放送装置１０Ｃ（図１）はまず、コンテンツの識別情報ＩＤ１“００１”が予め埋め込まれた第１音声信号に対し、上述した音声透かし処理により、識別情報ＩＤ２“１００３”を埋め込む。第２音声信号は、スピーカー２０ｃから音声として放送される。エリアＡ３内の端末装置５０ｃは、スピーカー２０ｃから放音された音声である第２音声信号を収音し、上述したように第２音声信号から識別情報ＩＤ１，ＩＤ２の抽出処理を行う。端末装置５０ｃは、抽出された識別情報ＩＤ１，ＩＤ２に基づき要求を生成し、管理装置３０にネットワークＮＷを介して送信する。管理装置３０は、端末装置５０ｃからの要求に対し、図１３Ｂに示す案内情報テーブルを参照し、識別情報ＩＤ１“００１”、ＩＤ２“１００３”の組み合わせに対応する案内情報を判定し、端末装置５０ｃに送信する。エリアＡ３内の端末装置５０ｃは、管理装置３０から受信した案内情報「津波が来ます。海岸に近づかず、待機してください。http://www.ccccc.jp/海岸」を表示部５６に表示する。
【００５７】
以上のように、放送システム１は、地域における避難誘導システムにも適用できる。また、商業施設や公共施設、乗り物内における避難誘導システムにも適用できる。放送システム１は、ユーザのいるエリアに応じた案内情報を判定し、ユーザに提供することができるため、より安全性の高い避難誘導システムを実現できる。
【００５８】
本開示における技術は、上述した形態に限定されず、例えば、以下の形態が可能である。
【００５９】
（１）
識別情報ＩＤ２は、単一のスピーカーの識別情報に限定されず、同一エリア（例えば、地域や建物の同一階）に設置されている複数のスピーカーに対応するものであってもよい。つまり、複数のスピーカー２０が共通の識別情報ＩＤ２を有していてもよい。例えば、建物の同一階に設置された複数のスピーカー２０に対しては、同じ案内情報を提供するものとし、階が異なる複数のスピーカー２０に対しては同じコンテンツに対し異なる案内情報を提供することができる。
【００６０】
識別情報ＩＤ２は、スピーカー２０自体の識別情報を含む必要はなく、音声の出力場所を特定する情報を含むものであればよい。
【００６１】
識別情報ＩＤ２は、放送エリアを示す情報に限定されず、他方のコンテンツの識別情報ＩＤ１とは異なる情報であれば、他の種類の情報であってもよい。
【００６２】
（２）
上記実施形態においては、音声透かし処理としてエコー拡散法を例にしているがこれに限定されない。公知の周期的位相変調法、或いは公知のスペクトル拡散法等を用いて音声透かし処理を実行してもよい。
【００６３】
（３）
上記実施形態においては、予めコンテンツの識別情報ＩＤ１が埋め込まれた第１音声信号に、放送エリアを示す識別情報ＩＤ２を埋め込んでいるが、これに限定されない。音源データの音声信号に識別情報ＩＤ１とＩＤ２を同時に埋め込んでもよい。
【００６４】
また、音声透かし処理部１１１は、管理装置３０と放送装置１０それぞれに設けてもよい。この場合、管理装置３０の音声透かし処理部において音源データの第１音声信号に識別情報ＩＤ１を埋め込み、ＩＤ１を埋め込んだ音声信号を放送装置１０に送信する。放送装置１０の音声透かし処理部１１１は、ＩＤ１を埋め込んだ音声信号にＩＤ２を埋め込み、第２音声信号を生成する。
【００６５】
また、音声透かし処理部１１１は、予め音源データの第１音声信号に識別情報ＩＤ１を埋め込み、ＩＤ１を埋め込んだ音声信号を記憶部１３に記憶しておき、その後、放送時にそのＩＤ１を埋め込んだ音声信号にＩＤ２を埋め込み、第２音声信号を生成するようにしてもよい。
【００６６】
また、音声透かし処理部１１１の配置に応じて、記憶部１３の音源データ記憶部１３１及び放送エリア情報記憶部１３３のうち少なくとも一方を、管理装置３０に設けてもよい。
【００６７】
上記実施形態においては、識別情報抽出部５１１を端末装置５０に設けているが、管理装置３０に設けてもよい。この場合、端末装置５０はスピーカー２０から収音した第２音声信号を管理装置３０に送信し、管理装置３０が第２音声信号から識別情報ＩＤ１，ＩＤ２を抽出する。管理装置３０は、抽出した識別情報ＩＤ１，ＩＤ２に応じた案内情報を端末装置５０に送信する。
【００６８】
管理装置３０は、サーバに代えて、クラウドコンピューティングを実現する複数の装置であってもよい。
【００６９】
（４）
端末装置５０は、最初に管理装置３０に要求を送信したとき、管理装置３０から案内情報テーブルを一括して受信して、記憶部５３に保存しておいてもよい。これにより、端末装置５０は、スピーカー２０から収音した音声信号から識別情報を抽出する度に管理装置３０にアクセスする必要がなく、案内情報の出力を迅速に行うことができる。
【００７０】
（５）
音源データは放送装置１０でなく、管理装置３０が記憶し、放送装置１０からの要求に応じて送信するようにしてもよい。
【００７１】
音源データはまた、マイクから入力された音声をリアルタイムに出力する音声であってもよい。この場合、取得された音源データは放送装置１０や管理装置３０で識別情報を埋め込む処理を行い、出力される。
【００７２】
（６）
管理装置３０は、遠隔に配置されていてもよいし、放送システム１が適用される施設や乗り物に設置されてもよい。
【産業上の利用可能性】
【００７３】
本発明は、施設や交通機関において利用される放送システムとして適用可能である。
【符号の説明】
【００７４】
１…放送システム、１０…放送装置、１０Ａ…放送装置、１０Ｂ…放送装置、１０Ｃ…放送装置、１１，３１，５１…プロセッサ、１３,３３,５３…記憶部、１５…Ｄ／Ａ変換部、１６…アンプ、１７,３７,５７…通信部、２０…スピーカー、３０…管理装置、５０…端末装置、５５…音声入力部、５６…表示部、５８…入力操作部、５９…音声出力部、１１１…音声透かし処理部、１１３…音声取得部、１１５…音声出力制御部、１３１…音源データ記憶部、１３３…放送エリア情報記憶部、３１１…案内情報判定部、３３１…案内情報テーブル、５１１…識別情報抽出部、５１３…案内情報要求生成部、５１５…案内情報取得部、５３１…識別情報記憶部、５３３…案内情報記憶部、５３５…アプリ記憶部
【図１】
2020068427.tif 000003
【図２】
2020068427.tif 000004
【図３Ａ】
2020068427.tif 000005
【図３Ｂ】
2020068427.tif 000006
【図４】
2020068427.tif 000007
【図５】
2020068427.tif 000008
【図６】
2020068427.tif 000009
【図７】
2020068427.tif 000010
【図８Ａ】
2020068427.tif 000011
【図８Ｂ】
2020068427.tif 000012
【図９】
2020068427.tif 000013
【図１０】
2020068427.tif 000014
【図１１】
2020068427.tif 000015
【図１２】
2020068427.tif 000016
【図１３Ａ】
2020068427.tif 000017
【図１３Ｂ】
2020068427.tif 000018
【図１４】
2020068427.tif 000019
【手続補正書】
【提出日】令和2年3月6日(2020.3.6)
【手続補正１】
【補正対象書類名】図面
【補正対象項目名】図９
【補正方法】変更
【補正の内容】
【図９】
2020068427.tif 000020